(57)【要約】【課題】  医用情報に対する不正な参照を防止した医用情報システム及び医用情報参照方法を提供する。【解決手段】  医用情報システム１００の管理サーバ５２は、医用情報を参照する参照者が医局１２などの各領域を通過する際に、これらの領域に設置された通過センサ３０から供給される前記参照者の通過時間やパスワード情報などに基づいて所定の医用情報ビューア２０に到達するまでの行動パターンを設定する。次いで、予め設定された行動ルールと前記行動パターンとを照合することによって前記医用情報ビューア２０における医用情報の参照の可否を判定する。そして、前記行動パターンが前記行動ルールに適合している場合には、医用情報サーバ５１は、前記参照者が要求する医用情報を前記医用情報ビューア２０に対して供給する。【選択図】  図１
2005242545.tif 000002
【特許請求の範囲】
【請求項１】
当該患者から得られた医用情報の保管を行なう医用情報記憶手段と、
前記医用情報の参照を希望する参照者の通過を感知する複数の通過感知手段と、
この通過感知手段によって得られた通過情報に基づいて前記参照者の行動パターンを設定
する行動パターン設定手段と、
予め設定された行動ルールと少なくとも前記行動パターンに基づいて前記参照者による前
記医用情報の参照の是非を判定する判定手段と、
この判定手段による判定結果に基づいて前記医用情報記憶手段に保管された前記医用情報
の表示を行なう表示手段を
備えたことを特徴とする医用情報システム。
【請求項２】
参照者識別情報供給手段を備え、前記通過感知手段は、無線通信手段を介して前記参照
者識別情報供給手段から供給される前記参照者の識別情報に基づいて前記参照者の通過を
感知することを特徴とする請求項１記載の医用情報システム。
【請求項３】
前記参照者識別情報供給手段は、前記参照者が携帯する記憶媒体に保管された前記参照
者の識別情報を前記通過感知手段に対して供給することを特徴とする請求項２記載の医用
情報システム。
【請求項４】
前記通過感知手段は、ネットワークを介して前記行動パターン設定手段と接続されてい
ることを特徴とする請求項１記載の医用情報システム。
【請求項５】
前記表示手段を有した医用情報要求手段を備え、前記行動パターン設定手段は、前記参
照者が前記医用情報要求手段に到達するまでに前記通過感知手段によって得られた通過情
報に基づいて前記行動パターンを設定することを特徴とする請求項１記載の医用情報シス
テム。
【請求項６】
当該患者から得られた医用情報の保管と供給を行なう医用情報サーバと、この医用情報
サーバから供給される前記医用情報を参照する医用情報ビューアと、前記医用情報ビュー
アにおいて参照される医用情報のセキュリティ管理を行なう管理サーバと、前記医用情報
の参照を希望する参照者の通過を感知する複数の通過センサを備え、
前記医用情報ビューアは、
前記参照者の識別情報あるいは前記医用情報の識別情報の少なくとも何れかを入力する識
別情報入力手段と、
この入力手段によって入力された前記識別情報と前記医用情報ビューアの識別情報を前記
管理サーバに供給する識別情報供給手段と、
前記医用情報サーバから供給された前記医用情報を表示する表示手段を有し、
前記医用情報サーバは、
前記医用情報を保管する医用情報記憶手段と、
前記管理サーバから供給された医用情報供給指示信号に基づき前記医用情報ビューアに対
して前記医用情報を供給する医用情報供給手段を有し、
前記管理サーバは、
前記複数の通過センサから得られた通過情報に基づいて前記参照者の行動パターンを設定
する行動パターン設定手段と、
予め設定された行動ルールと前記行動パターン及び前記識別情報供給手段から供給された
前記識別情報に基づいて前記参照者が所望する前記医用情報の参照の是非を判定する判定
手段と、
この判定手段による判定結果に基づき前記医用情報サーバに対して前記医用情報供給指示
信号を供給する指示信号供給手段を
有したことを特徴とする医用情報システム。
【請求項７】
前記通過センサは、前記参照者が携帯する記憶媒体から無線通信手段を介して供給され
る前記参照者の識別情報に基づいて前記参照者の通過を感知することを特徴とする請求項
６記載の医用情報システム。
【請求項８】
前記行動パターン設定手段は、前記参照者が前記医用情報ビューアに到達するまでに前
記通過センサから得られる通過情報に基づいて前記行動パターンを設定することを特徴と
する請求項６記載の医用情報システム。
【請求項９】
前記医用情報記憶手段は、前記当該患者に関する患者データ、電子カルテ、画像データ
、同意書の少なくとも何れかを医用情報として保管することを特徴とする請求項１又は請
求項６に記載した医用情報システム。
【請求項１０】
前記参照者は、医師、看護師、検査技師の少なくとも何れかであることを特徴とする請
求項１又は請求項６に記載した医用情報システム。
【請求項１１】
前記行動ルールは、参照者の役割あるいは参照場所の少なくとも何れかに基づいて予め
設定されることを特徴とする請求項１又は請求項６に記載した医用情報システム。
【請求項１２】
予め保管された当該患者の医用情報を参照する際に、参照される医用情報に対してセキ
ュリティ管理が行なわれる医用情報システムの医用情報参照方法であって、
前記医用情報の参照を希望する参照者の通過を感知するステップと、
この通過情報に基づいて前記参照者の行動パターンを設定するステップと、
予め設定された行動ルールと前記行動パターンに基づいて前記参照者が所望する前記医用
情報の参照の是非を判定するステップと、
この判定結果に基づいて前記医用情報の表示を行なうステップを
有したことを特徴とする医用情報参照方法。
【発明の詳細な説明】
【技術分野】
【０００１】
本発明は、参照する医用情報に制限をかけることによってその漏出を防止した医用情報
システム及び医用情報参照方法に関する。
【背景技術】
【０００２】
近年、診断対象患者から得られた医用情報を保管する医用情報サーバと、ネットワーク
を介して医用情報サーバと接続された医用情報ビューアとから構成される医用情報システ
ムが広く用いられている。
【０００３】
上記医用情報システムにて取り扱われる医用情報には、Ｘ線ＣＴ装置、ＭＲＩ装置、Ｘ
線診断装置、更には超音波診断装置などの画像診断装置によって得られた画像データ、心
電計あるいは脳波計などの生体情報計測装置によって得られた生体情報計測データ、検体
検査装置などによって得られた血液や尿などの検体検査データ、これらのデータに関する
所見レポートなどが纏められた電子カルテなどがある。又、前記患者に関する既往歴など
が含まれた患者情報や手術同意書等も電子化されて上記医用情報サーバに保管されている
。
【０００４】
この医用情報システムは、当初、医師専用の医用情報サーバに当該患者の医用情報が保
管されていたため、医師は、この専用医用情報サーバに直接接続された医用情報ビューア
を用いて所望の医用情報を参照しなくてはならないという制約があった。
【０００５】
このような問題点を解決する手法として、ネットワークを介して複数の医用情報ビュー
アと複数の医用情報サーバを接続し、この医用情報サーバに保管されている医用情報を高
速演算処理して各々の医用情報ビューアの表示方式に変換することにより、いずれの医用
情報ビューアを用いても所望の医用情報の参照が可能となる方法が考案されている（例え
ば、特許文献１参照。）。
【０００６】
このような医用情報システムによれば、医師らは、画像データや生体情報計測データな
どを所望の医用情報ビューアを用いて参照することが可能となり、参照する場所の制約が
大幅に低減する。
【特許文献１】特開平８−１６１４６３号公報（第３−５頁、第１−４図）
【発明の開示】
【発明が解決しようとする課題】
【０００７】
特許文献１の方法によれば、種々の医用情報がネットワークを介して医用情報サーバに
集中管理されている医用情報システムにおいて、医師は医用情報を参照するために、先ず
、汎用のネットワーク端末（即ち、医用情報ビューア）のキーボードやＩＣカードリーダ
を用いて自己のユーザＩＤやパスワードを入力してネットワークにログイン「利用開始の
宣言」し、次いで、医用情報サーバに対して所望の医用情報の要求を行なってきた。
【０００８】
このとき、医用情報システムにログインが可能となった医師は、医用情報サーバに保管
されている医用情報の何れをも制約無しで参照することが可能となる。例えば、参照対象
者を厳しく限定すべき「感染症」などに関する医用情報は、参照の必要が無い医師らにお
いても容易に参照することができる。又、上記ＩＤやパスワードは単なる英数字の組み合
わせであるため、他人が入力することも比較的容易である。即ち、上述の医用情報システ
ムによれば医用情報の漏洩の危険性は高く、患者プライバシーの侵害に繋がる可能性を有
していた。
【０００９】
又、キーボードなどを用いた参照者のパスワードやＩＤの入力は煩わしく、ネットワー
クの不具合が発生する度に上記パスワードやＩＤの再入力が要求されるため、医用情報の
参照における効率を低下させてきた。
【００１０】
本発明は、このような従来の問題点に鑑みてなされたものであり、その目的は、医用情
報の参照者の行動パターンに基づいて参照可能な医用情報あるいは医用情報ビューアを制
限することにより、医用情報の漏出を防止した医用情報システム及び医用情報参照方法を
提供することにある。
【課題を解決するための手段】
【００１１】
上記課題を解決するために、請求項１に係る本発明の医用情報システムは、当該患者か
ら得られた医用情報の保管を行なう医用情報記憶手段と、前記医用情報の参照を希望する
参照者の通過を感知する複数の通過感知手段と、この通過感知手段によって得られた通過
情報に基づいて前記参照者の行動パターンを設定する行動パターン設定手段と、予め設定
された行動ルールと少なくとも前記行動パターンに基づいて前記参照者による前記医用情
報の参照の是非を判定する判定手段と、この判定手段による判定結果に基づいて前記医用
情報記憶手段に保管された前記医用情報の表示を行なう表示手段を備えたことを特徴とし
ている。
【００１２】
又、請求項６に係る本発明の医用情報システムは、当該患者から得られた医用情報の保
管と供給を行なう医用情報サーバと、この医用情報サーバから供給される前記医用情報を
参照する医用情報ビューアと、前記医用情報ビューアにおいて参照される医用情報のセキ
ュリティ管理を行なう管理サーバと、前記医用情報の参照を希望する参照者の通過を感知
する複数の通過センサを備え、前記医用情報ビューアは、前記参照者の識別情報あるいは
前記医用情報の識別情報の少なくとも何れかを入力する識別情報入力手段と、この入力手
段によって入力された前記識別情報と前記医用情報ビューアの識別情報を前記管理サーバ
に供給する識別情報供給手段と、前記医用情報サーバから供給された前記医用情報を表示
する表示手段を有し、前記医用情報サーバは、前記医用情報を保管する医用情報記憶手段
と、前記管理サーバから供給された医用情報供給指示信号に基づき前記医用情報ビューア
に対して前記医用情報を供給する医用情報供給手段を有し、前記管理サーバは、前記複数
の通過センサから得られた通過情報に基づいて前記参照者の行動パターンを設定する行動
パターン設定手段と、予め設定された行動ルールと前記行動パターン及び前記識別情報供
給手段から供給された前記識別情報に基づいて前記参照者が所望する前記医用情報の参照
の是非を判定する判定手段と、この判定手段による判定結果に基づき前記医用情報サーバ
に対して前記医用情報供給指示信号を供給する指示信号供給手段を有したことを特徴とし
ている。
【００１３】
一方、請求項１２に係る本発明の医用情報参照方法は、予め保管された当該患者の医用
情報を参照する際に、参照される医用情報に対してセキュリティ管理が行なわれる医用情
報システムの医用情報参照方法であって、前記医用情報の参照を希望する参照者の通過を
感知するステップと、この通過情報に基づいて前記参照者の行動パターンを設定するステ
ップと、予め設定された行動ルールと前記行動パターンに基づいて前記参照者が所望する
前記医用情報の参照の是非を判定するステップと、この判定結果に基づいて前記医用情報
の表示を行なうステップを
有したことを特徴としている。
【発明の効果】
【００１４】
本発明によれば、医用情報の参照を希望する参照者の行動パターンと予め設定された行
動ルールとを照合して当該参照者が参照可能な医用情報あるいは医用情報ビューアを制限
することにより、医用情報の漏出を防止することが可能となる。
【発明を実施するための最良の形態】
【００１５】
以下、図面を参照して本発明の実施例を説明する。
【実施例】
【００１６】
以下に述べる本発明の実施例の特徴は、医師や看護師、あるいは検査技師（以下、これ
らを纏めて参照者と呼ぶ。）が所定の医用情報ビューアを用いて医用情報の参照を行なう
場合、この参照者が前記医用情報ビューアに到達するまでの行動パターンと予め設定され
た行動ルールとを照合することによって、前記参照者の前記医用情報ビューアにおける医
用情報の参照の可否を自動判定することにある。尚、以下の説明では、医用情報を参照す
る場合について述べるが、医用情報を入力する場合においても適用が可能である。
【００１７】
（医用情報システムの構成）
本発明の実施例における医用情報システムの構成につき図１乃至図５を用いて説明する
。図１は、医用情報システムの全体構成を示すブロック図であり、この医用情報システム
１００は、例えば、院内の医局１２、診察室１３、読影室１４、撮影室１５、会議室１６
及び病室１７の各領域に設置され、医用情報の入力や後述する医用情報サーバ５１に予め
保管されている医用情報の参照を行なう医用情報ビューア２０−２乃至２０−７と、管理
者室７０に設置された医用情報管理者専用の管理者端末装置７１を備え、更に、サーバ室
５０に設置され、種々の医用情報の保管と医用情報ビューア２０−２乃至２０−７への供
給を行なう医用情報サーバ５１と、前記医用情報ビューア２０−２乃至２０−７において
医用情報の参照を希望する参照者の行動パターンと予め設定された行動ルールに基づいて
医用情報の参照に対する可否を自動判定する管理サーバ５２を備えている。
【００１８】
又、受付１１、医局１２、診察室１３、読影室１４、撮影室１５、会議室１６、病室１
７、管理者室７０及びサーバ室５０の各領域における入出口の近傍には、参照者の通過を
感知する通過センサ３０−１乃至３０−９が設けられ、これら医用情報ビューア２０−２
乃至２０−７、通過センサ３０−１乃至３０−９、管理者端末装置７１、医用情報サーバ
５１及び管理サーバ５２はネットワーク４０を介して接続されている。
【００１９】
医用情報ビューア２０−２乃至２０−７の各々は、図示しない操作部と表示部を有して
いる。この操作部は、操作パネル上にキーボード、トラックボール、マウス、カードリー
ダ等の入力デバイスと表示パネルを備えたインターフェースである。そして、医用情報ビ
ューア２０−２乃至２０−７の中から参照者が選択した医用情報ビューア（以下、医用情
報ビューア２０とする。）の操作部から入力された前記参照者のＩＤやパスワード（以下
、パスワード情報と呼ぶ。）と所望の医用情報の識別情報（医用情報名）は、この医用情
報ビューア２０の識別情報と共にネットワーク４０を介してサーバ室５０の管理サーバ５
２に供給される。
【００２０】
一方、医用情報ビューア２０の表示部は、医用情報サーバ５１から供給された医用情報
をＣＲＴあるいは液晶などのモニタに表示すると共に、必要に応じてプリンタ等に出力す
る。
【００２１】
次に、受付１１、医局１２、診察室１３、読影室１４、撮影室１５、会議室１６、病室
１７、管理者室７０、サーバ室５０の各領域における入出口の近傍に設置された通過セン
サ３０−１乃至３０−９は、参照者が保有する図示しないＩＣカードとの交信を行なう。
即ち、通過センサ３０−１乃至３０−９は、参照者が院内の上記各領域における入出口を
通過する際、この参照者が所有するＩＣカードに対して電磁波を照射してこれらのＩＣカ
ードの微小記憶デバイス（ナノチップ）に保存された参照者のパスワード情報を非接触で
読み出し、ネットワーク４０を介して管理サーバ５２に供給する。
【００２２】
次に、参照者のパスワード情報を読み出す際に使用される通過センサとＩＣカードにつ
き図２を用いて説明する。
【００２３】
図２に示した通過センサ３０は、アンテナ８１と駆動回路８２とデータ復調回路８３を
備えている。そして、駆動回路８２は、アンテナ８１より第1の周波数の電磁波を放射す
るための駆動信号を生成し、アンテナ８１は、前記駆動信号によって駆動されて参照者の
ＩＣカード９０に対して第1の周波数の電磁波を照射すると共に、このＩＣカード９０か
ら放射される第２の周波数の電波を受信して電気信号に変換する。又、データ復調回路８
３は、アンテナ８１から供給される電気信号を復調して参照者のパスワード情報を検出す
る。
【００２４】
一方、参照者のＩＣカード９０は、前記通過センサ３０から照射された第１の周波数の
電磁波を受信するアンテナ９１と、このアンテナ９１によって前記電磁波を変換して得ら
れた第１の周波数の電気信号を整流・平滑化して直流電圧を生成する電源回路９２と、参
照者のパスワード情報が予め記憶されている微小記憶デバイス９３を備え、更に、微小記
憶デバイス９３に記憶されたパスワード情報を読み出すためのクロックパルスを生成する
クロック生成回路９４と、読み出したパスワード情報を第２の周波数で変調してアンテナ
９１に供給するデータ変調回路９５を備えている。そして、前記電源回路９２で生成され
た直流電圧は、微小記憶デバイス９３、クロック生成回路９４及びデータ変調回路９５の
各々に供給される。
【００２５】
図１に戻って、サーバ室５０に設けられた医用情報サーバ５１は、当該患者の患者情報
が保管されている患者情報記憶部６２と、各種検査データとその所見が記録された電子カ
ルテが保管されている電子カルテ記憶部６３と、医用画像データが保管されている画像デ
ータ記憶部６４と、手術同意書などが保管されている同意書記憶部６５と、これらの各記
憶部に保管されている医用情報の書き込み／読み出しと供給を行なうＣＰＵ６１を備えて
いる。
【００２６】
尚、上記患者情報として、患者ＩＤ、身長、体重、既往暦（過去に罹患した病名と罹患
時期）などがあり、画像データとして、Ｘ線画像データ、Ｘ線ＣＴ画像データ、超音波画
像データ、ＭＲＩ画像データ、内視鏡画像データなどがある。又、電子カルテには、心電
波形や脳波などの生体情報計測データ、血液検査や尿検査などの検体検査データ、更には
上述の各データに対する所見などが保管されている。
【００２７】
そして、管理サーバ５２から供給される医用情報供給指示信号に基づいて、医用情報サ
ーバ５１のＣＰＵ６１は、保管されている上述の医用情報の中から参照者が所望する医用
情報を読み出し、医用情報要求元の医用情報ビューア２０に供給する。
【００２８】
一方、サーバ室５０の管理サーバ５２は、図示しないＣＰＵと記憶回路を備え、通過セ
ンサ３０−１乃至３０−９から供給される参照者の通過情報から行動パターンを設定する
。次いで、この行動パターンと前記通過センサ３０−１乃至３０−９によって検出される
参照者のパスワード情報あるいは医用情報ビューア２０の操作部より入力される参照者の
パスワード情報に基づいて、医用情報ビューア２０における所望の医用情報の参照に対す
る可否を判定する。
【００２９】
即ち、管理サーバ５２は、予め設定され前記記憶回路に保管されている参照条件（即ち
、医用情報ビューア２０における医用情報の参照を可とする行動ルール及び役割（医師、
検査技師、看護師など））に対する前記参照者の行動パターン及び役割の適合性について
判定を行なう。
【００３０】
そして、前記行動パターンと参照者の役割が、上記参照条件に適合している場合には、
管理サーバ５２は、医用情報ビューア２０から供給される医用情報名に対応した医用情報
を要求元の医用情報ビューア２０に供給するための医用情報供給指示信号を医用情報サー
バ５１のＣＰＵ６１に供給する。一方、前記行動パターンと参照者の役割が、上記参照条
件に適合していない場合には、医用情報供給不可のメッセージを医用情報ビューア２０に
供給すると共に、管理者端末装置７１に対して警告信号を発信する。又、管理者端末装置
７１から医用情報供給のコマンド信号が供給された場合には、要求された医用情報を医用
情報ビューア２０に供給するための医用情報供給指示信号を医用情報サーバ５１のＣＰＵ
６１に供給する。
【００３１】
尚、管理サーバ５２の記憶回路には、院内の参照対象者が役割別に分類された「参照者
一覧表」、行動ルールとこの行動ルールにおいて通過する通過センサ３０の識別情報との
関係が示された「行動ルール一覧表」、更に、医用情報ビューア２０−２乃至２０−７に
て医用情報の参照を行なう際に、参照者が適合しなくてはならない役割と行動ルールが示
された「参照条件一覧表」などが予め保管されている。尚、上述の各一覧表の具体例につ
いては後述する。
【００３２】
次に、管理者室７０に設けられた管理者端末装置７１には、医用情報ビューア２０に対
する医用情報の供給が不可になった場合に管理サーバ５２より警告信号が供給され、この
警告信号を受信した管理者室７０の医用情報管理者は、医用情報ビューア２０から入力さ
れた参照者のパスワード情報や行動パターンの確認を行なう。そして、不正アクセスでは
ないことが判明した場合、管理者端末装置７１は、参照者が所望する医用情報を医用情報
ビューア２０に供給するためのコマンド信号を管理サーバ５２に供給する。
【００３３】
又、管理者端末装置７１は、予め設定された参照場所とは異なる場所において医用情報
の参照が緊急に必要になった場合のように例外的な処置が要求される場合においても対応
することが可能である。
【００３４】
次に、サーバ室５０における管理サーバ５２の記憶回路に予め保管されている「参照者
一覧表」、「行動ルール一覧表」及び「参照条件一覧表」の具体例につき図３乃至図５を
用いて説明する。
【００３５】
図３は、医用情報の参照対象者である医師、検査技師、看護師、更には受付担当者の氏
名及びＩＤが役割別に分類された参照者一覧表であり、例えば、役割「医師」の欄には、
医師Ａ、医師Ｂ及び医師Ｃの氏名とＩＤ「００００１」、「００００２」、「００００３
」が保管されている。即ち、図１に示した通過センサ３０−１乃至３０−９から供給され
る参照者のパスワード情報と図３に示した参照者一覧表を照合することによって通過セン
サ３０−１乃至３０−９を通過している参照者の氏名と役割を知ることが可能となる。
【００３６】
次に、図４に示した行動ルール一覧表は、「ルール１」、「ルール２」・・・によって
示した行動ルールの種類と、この行動ルールを決定する通過センサ３０−１乃至３０−９
の識別情報「ＳＥ−１」乃至「ＳＥ−９」を示している。例えば、「ルール１」は、少な
くとも受付１１の通過センサ３０−１から供給される識別情報「ＳＥ−１」と、同様にし
て医局１２及び読影室１４の通過センサ３０−２及び通過センサ３０−４から供給される
識別情報「ＳＥ−２」及び「ＳＥ−４」によって設定される。
【００３７】
例えば、ルール１の行動ルールに適合して医用情報の参照を希望する参照者は、少なく
とも受付１１と医局１２を経由して読影室１４に入室しなくてはならない。
【００３８】
尚、ルール４におけるＯＲＤ｛｝は、通過センサ３０−１乃至３０−９の通過順序を更
に定義するものであり、この「ルール４」を満たすためには、受付１１における通過セン
サ３０−１，医局１２における通過センサ３０−２、読影室１４における通過センサ３０
−４、診察室１３における通過センサ３０−３の順にその識別情報が検出されなくてはな
らない。
【００３９】
又、ルール７の［ＳＥ−２］は、「医師」以外に適用されるルールであり、医局１２に
おける通過センサ３０−２の識別情報「ＳＥ−２」が検出されないことによって当該参照
者は「医師」ではないことが設定される。
【００４０】
次に、図５に示した参照条件一覧表は、参照者が所定の領域に設置された医用情報ビュ
ーア２０を用いて医用情報の参照を行なう場合、参照が可能な参照者の役割と行動ルール
を示している。例えば、診察室１３に設置された医用情報ビューア２０−３による医用情
報の参照が可能な参照者は、「ルール３」の行動ルールに適合した行動パターンを有した
「医師」に限られることを示している。
【００４１】
同様にして、撮影室１５に設置された医用情報ビューア２０−５による医用情報の参照
が可能な参照者は、図４に示した「ルール６」あるいは「ルール７」の行動ルールに適合
した行動パターンを有する「検査技師」でなくてはならない。そして、上記の行動パター
ンは、既に述べたように参照者が診察室１３あるいは撮影室１５に入室するまでに通過し
た通過センサ３０から供給される情報（通過センサ３０の識別情報）によって設定される
。
【００４２】
（医用情報の参照手順）
次に、本実施例における医用情報の参照手順について、図１乃至図８を用いて説明する
。尚、図６は、上記参照手順を示すフローチャートである。以下では、医用情報の参照を
読影室１４で行なう参照者ＩＤ（パスワード情報）「００００１」の「医師Ａ」について
具体例を述べるが、参照者や参照場所はこれらに限定されない。
【００４３】
図７は、病院内の配置図の１例を示しており、入口１０に隣接して受付１１が設けられ
、更に、医局１２、診断室１３、読影室１４、管理者室７０の順に配置されている。又、
これらと対向して撮影室１５、会議室１６、病室１７及びサーバ室５０が配置されている
。そして、既に図１において示したように、これらの領域の出入口近傍には通過センサ３
０−１乃至３０−９が、又、前記領域の内部には医用情報ビューア２０−１乃至２０−７
、管理者端末装置７１、医用情報サーバ５１、管理サーバ５２が設置されており、これら
はネットワーク４０を介して接続されている。但し、図７では、通過センサ３０−１乃至
３０−９と読影室１４の医用情報ビューア２０−４のみを示している。又、この配置図に
示された矢印は、参照者ＩＤ「００００１」の「医師Ａ」の行動パターンである。
【００４４】
以下の説明では、入口１０と受付１１を通過した「医師Ａ」が、医局１２と診察室１３
を経由して読影室１４に入室し、この読影室１４に設置された医用情報ビューア２０−４
を用いて所望の医用情報の参照を行なう場合を想定する。
【００４５】
先ず、「医師Ａ」が受付１１の通過センサ３０−１の近傍を通過したとき、既に図２に
おいて述べたように、通過センサ３０−１の駆動回路８２が駆動信号をアンテナ８１に供
給することによって第１の周波数の電磁波が「医師Ａ」のＩＣカード９０に対して照射さ
れる。
【００４６】
一方、通過センサ３０−１から照射された第１の周波数の電磁波は、ＩＣカード９０の
アンテナ９１によって電気信号に変換され、電源回路９２は、この電気信号に対して整流
と平滑化を行なって直流電圧を生成して微小記憶デバイス９３、クロック生成回路９４及
びデータ変調回路９５の各ユニットに供給する。
【００４７】
電源回路９２より直流電圧が供給されたクロック生成回路９４は、所定周期のクロック
パルスを生成して微小記憶デバイス９３に供給し、微小記憶デバイス９３に記憶されてい
る「医師Ａ」のパスワード情報「００００１」を読み出す。そして、データ変調回路９５
は、微小記憶デバイス９３より読み出された前記パスワード情報によって第２の周波数の
正弦波（ＲＦ波）を変調し、変調されたＲＦ信号をアンテナ９１に供給する。次いで、ア
ンテナ９１は、このパスワード情報で変調された第２の周波数のＲＦ信号を電波に変換し
、通過センサ３０−１に対して放射する。
【００４８】
一方、通過センサ３０−１のアンテナ８１は、ＩＣカード９０−Ａのアンテナ９１から
供給された電波を電気信号に変換してデータ復調回路８３に供給し、データ復調回路８３
は、前記電気信号を復調してパスワード情報「００００１」を検出する。そして、検出し
たパスワード情報は、通過センサ３０−１の識別情報「ＳＥ−１」と共にネットワーク４
０を介してサーバ室５０の管理サーバ５２に供給される。
【００４９】
同様にして、「医師Ａ」が医局１２及び診察室１３に対する入室及び退室と読影室１４
に対する入室を行なう際にも、これらの各領域に置かれた通過センサ３０−２乃至３０−
４は「医師Ａ」のパスワード情報「００００１」を検出し、得られたパスワード情報と通
過センサ３０−２乃至３０−４の識別情報「ＳＥ−２」乃至「ＳＥ−４」を管理サーバ５
２に供給する（図６のステップＳ１）。
【００５０】
図８は、このとき管理サーバ５２において生成される通過情報一覧表の１例を示したも
のであり、複数の参照者に対するパスワード情報と通過センサ３０の識別情報が通過時刻
順に保存されている。そして、この一覧表からパスワード情報「００００１」の部分を抽
出することによって、通過センサ３０−１、３０−２、３０−３、３０−４の近傍を通過
して読影室１４の医用情報ビューア２０−４に到達した「医師Ａ」の行動パターンを知る
ことが可能となる。
【００５１】
次いで、読影室１４の医用情報ビューア２０−４に到達した「医師Ａ」は、この医用情
報ビューア２０−４の操作部におけるキーボードあるいはカードリーダを使用して自己の
パスワード情報「００００１」と所望の医用情報の識別情報（医用情報名）を入力し、入
力されたパスワード情報と医用情報名は医用情報ビューア２０−４の識別情報「Ｃ４」と
共にネットワーク４０を介してサーバ室５０の管理サーバ５２に供給される（図６のステ
ップＳ２）。
【００５２】
一方、管理サーバ５２は、供給されたパスワード情報「００００１」と予め保管されて
いる参照者一覧表（図３）から参照者の氏名「医師Ａ」と役割「医師」を設定し、更に、
上記パスワード情報に関する通過情報を図８の通過情報一覧表の中から抽出して行動パタ
ーン（受付１１→医局１２→診察室１３→読影室１４）を設定する（図６のステップＳ３
）。
【００５３】
次いで、管理サーバ５２は、予め保管された参照条件一覧表（図５）及び行動ルール一
覧表（図４）を用いて読影室１４の医用情報ビューア２０−４における医用情報の参照を
可能とする役割及び行動ルールと前記「医師Ａ」の役割「医師」とその行動パターンの照
合を行なう（図６のステップＳ４）。そして、当該参照者が「医師」であり、その行動パ
ターンが図４のルール１あるいはルール２に適合していることを確認したならば（図６の
ステップＳ５）、要求された医用情報を要求元の医用情報ビューア２０−４に供給するた
めの医用情報供給指示信号を医用情報サーバ５１のＣＰＵ６１に供給する。
【００５４】
次に、医用情報サーバ５１のＣＰＵ６１は、管理サーバ５２から供給された医用情報供
給指示信号に基づいて、医用情報サーバ５１に保管されている前記医用情報を読み出し、
ネットワーク４０を介して医用情報ビューア２０−４に供給する（図６のステップＳ６）
。
【００５５】
そして、医用情報ビューア２０−４の表示部は、医用情報サーバ５１から供給された医
用情報をＣＲＴあるいは液晶などのモニタに表示する（図６のステップＳ７）。
【００５６】
一方、上記ステップＳ５において、「医師Ａ」の役割あるいは行動パターンが参照条件
一覧表の参照条件に適合していない場合には、管理サーバ５２は、医用情報の参照が不可
である旨のメッセージを医用情報ビューア２０−４に供給すると共に、不正アクセスに対
する警告信号を管理者室７０の管理者端末装置７１に供給する（図６のステップＳ８）。
【００５７】
（変形例）
次に、本実施例の変形例における医用情報の参照手順につき図９のフローチャートを用
いて説明する。尚、本変形例における医用情報システムの構成は図１及び図２のブロック
図と同様であるため説明を省略する。
【００５８】
この変形例の特徴は、参照者が所定の医用情報ビューアに到達したことが認識されたな
らば、管理サーバは、この参照者の前記医用情報ビューアに至るまでの行動パターンに基
づいて、前記医用情報ビューアに対する医用情報の供給を制限することにある。
【００５９】
尚、以下に示す変形例においても、医用情報の参照を読影室１４で行なう参照者ＩＤ「
００００１」の「医師Ａ」について述べる。即ち、「医師Ａ」は、受付１１、医局１２及
び診察室１３に対する入退室と読影室１４に対する入室を行ない、このとき、通過センサ
３０−１乃至３０−４は、「医師Ａ」のパスワード情報「００００１」と通過センサ３０
−１乃至３０−４の識別情報「ＳＥ−１」乃至「ＳＥ−４」を管理サーバ５２に供給する
（図９のステップＳ１１）。
【００６０】
そして、読影室１４の医用情報ビューア２０−４に到達した「医師Ａ」が、例えば、医
用情報ビューア２０−４の操作部に設けられた接続キーに触れることによって、管理サー
バ５２は、この接続キーの情報を受信する。次いで管理サーバ５２は、図８の通過情報一
覧表に基づいて医用情報ビューア２０−４に到達した「医師Ａ」の役割「医師」と行動パ
ターン（受付１１→医局１２→診察室１３→読影室１４）を設定する（図９のステップＳ
１２）。
【００６１】
次いで、管理サーバ５２は、予め保管された図５の参照条件一覧表及び図４の行動ルー
ル一覧表を用い、読影室１４の医用情報ビューア２０−４における医用情報の参照を可能
とする役割及び行動ルールと前記「医師Ａ」の役割「医師」とその行動パターン（受付１
１→医局１２→診察室１３→読影室１４）の照合を行なう（図９のステップＳ１３）。そ
して、当該参照者が「医師」であり、その行動パターンが図４のルール１あるいはルール
２に適合していることを確認したならば（図９のステップＳ１４）、医用情報ビューア２
０−４に対して医用情報の供給を許可する（図９のステップＳ１５）。
【００６２】
次いで、医用情報ビューア２０−４は、管理サーバ５２に対して所望の医用情報の要求
信号を供給し（図９のステップＳ１６）、この要求信号を受けた管理サーバ５２は、要求
された医用情報を要求元の医用情報ビューア２０−４に供給するための医用情報供給指示
信号を医用情報サーバ５１のＣＰＵ６１に供給する。
【００６３】
一方、医用情報サーバ５１のＣＰＵ６１は、管理サーバ５２から供給された医用情報供
給指示信号に基づいて、医用情報サーバ５１に保管されている前記医用情報を読み出し、
医用情報ビューア２０−４に供給する（図９のステップＳ１７）。そして、医用情報ビュ
ーア２０−４の表示部は、医用情報サーバ５１から供給された医用情報をＣＲＴあるいは
液晶などのモニタに表示する（図９のステップＳ１８）。
【００６４】
一方、上記ステップＳ１４において、「医師Ａ」の役割あるいは行動パターンが参照条
件一覧表の参照条件に適合していない場合には、管理サーバ５２は、医用情報の参照が不
可である旨のメッセージを医用情報ビューア２０−４に供給すると共に、不正アクセスに
対する警告信号を管理者室７０の管理者端末装置７１に供給する（図９のステップＳ１９
）。
【００６５】
以上述べた本実施例及びその変形例によれば、院内の各領域に設けられた複数の通過セ
ンサによって医用情報参照者の行動パターンの設定を行ない、この行動パターンと予め設
定された行動ルールとを照合して当該参照者が参照可能な医用情報あるいは医用情報ビュ
ーアを制限することにより、医用情報の漏出を防止することができる。
【００６６】
又、前記通過センサは、参照者が携帯するＩＣカードに保存されたパスワード情報を非
接触かつ瞬時に読み出すことが可能であるため、参照者に対して負担を与えることなくそ
の行動パターンに関する情報を常時収集することができる。
【００６７】
更に、上述の実施例によれば、医用情報要求元の医用情報ビューアに対する医用情報の
供給が不可になった場合には、管理サーバより管理者端末装置に対して不正アクセスの警
告信号が発信される。このため、医用情報ビューアに対する不正アクセスを即座に発見す
ることができ、医用情報の不正な参照や漏出を未然に防ぐことが可能となる。
【００６８】
一方、本実施例の変形例によれば、参照者は、医用情報ビューアに対してパスワード情
報を入力する煩わしさから開放される。特に、ネットワーク４０の不具合等が発生した場
合においてもパスワード情報の再入力の必要がないため、医用情報の参照作業を効率よく
行なうことが可能となる。
【００６９】
以上、本発明の実施例について述べてきたが、本発明は上述の実施例に限定されるもの
では無く、変形して実施することが可能である。例えば、上述の実施例とその変形例では
医用情報の参照手順について述べたが、医用情報の入力においても同様にして適用するこ
とが可能である。
【００７０】
一方、パスワード情報の非接触読み出し法は上述の方法に限定されるものではなく、非
接触かつ短時間における読み出しが可能であれば他の方法であっても構わない。又、上記
パスワード情報は、ＩＤやパスワードと同様の効果を有するものであれば他の情報であっ
ても構わない。
【００７１】
更に、上述の実施例では、医用情報サーバと管理サーバは分離して構成したが、これら
を一体化して構成してもよい。又、医用情報サーバに保管される医用情報は、図１に示し
た「患者情報」、「電子カルテ」、「画像データ」、「同意書」に限定されるものではな
く、更にこれらの医用情報は、ネットワークに接続された複数の医用情報サーバに分散し
て保管されてもよい。
【図面の簡単な説明】
【００７２】
【図１】本発明の実施例における医用情報システムの全体構成を示すブロック図。
【図２】同実施例における医用情報システムが備える通過センサと医用情報の参照者が保管するＩＣカードの構成を示す図。
【図３】同実施例の管理サーバに保管されている参照者一覧表の具体例を示す図。
【図４】同実施例の管理サーバに保管されている行動ルール一覧表の具体例を示す図。
【図５】同実施例の管理サーバに保管されている参照条件一覧表の具体例を示す図。
【図６】同実施例における医用情報の参照手順を示すフローチャート。
【図７】同実施例における参照者の行動パターンの１例を示す図。
【図８】同実施例の管理サーバにおいて生成される通過情報一覧表の具体例を示す図。
【図９】同実施例の変形例における医用情報の参照手順を示すフローチャート。
【符号の説明】
【００７３】
１１…受付
１２…医局
１３…診察室
１４…読影室
１５…撮影室
１６…会議室
１７…病室
２０…医用情報ビューア
３０…通過センサ
５０…サーバ室
５１…医用情報サーバ
５２…管理サーバ
６１…ＣＰＵ
６２…患者情報記憶部
６３…電子カルテ記憶部
６４…画像データ記憶部
６５…同意書記憶部
４０…ネットワーク
７０…管理者室
７１…管理者端末装置
８１，９１…アンテナ
８２…駆動回路
８３…データ復調回路
９２…電源回路
９３…微小記憶デバイス
９４…クロック生成回路
９５…データ変調回路
１００…医用情報システム
【図１】
2005242545.tif 000003
【図２】
2005242545.tif 000004
【図３】
2005242545.tif 000005
【図４】
2005242545.tif 000006
【図５】
2005242545.tif 000007
【図６】
2005242545.tif 000008
【図７】
2005242545.tif 000009
【図８】
2005242545.tif 000010
【図９】
2005242545.tif 000011